(57)【要約】      （修正有）【課題】信号の品質が十分であるか否かの情報に加えて、さらに多くの受信状態に係る情報を提供することが可能な受信装置を得る。【解決手段】受信装置１は、受信信号の選局処理を行う選局処理部５と、受信信号のＣＮ比を検出するＣＮ比検出部９と、選局処理前の信号ゲインを制御するＲＦＡＧＣ電圧を発生するＲＦＡＧＣ回路部７と、選局処理後の信号ゲインを制御するＩＦＡＧＣ電圧を発生するＩＦＡＧＣ回路部８と、ＲＦＡＧＣ電圧及びＩＦＡＧＣ電圧を検出する制御部１１と、選局処理後の信号からエラー情報を検出するＰａｃｋｅｔ  ｅｒｒｏｒ検出部１０と、を備え、ＲＦＡＧＣ電圧、ＩＦＡＧＣ電圧及びエラー情報の少なくとも一つと、ＣＮ比と、に基づいて信号の受信状態の調査を実行する。【選択図】図１
2015023383.tif 000002
【特許請求の範囲】
【請求項１】
受信信号に対して選局処理を行う選局処理部と、
前記受信信号のＣＮ比（Carrier to Noise ratio）を検出するＣＮ比検出部と、
前記選局処理部による選局処理前の前記信号のゲインを制御する第１信号制御電圧を発生する第１信号制御回路部と、
前記選局処理部による選局処理後の前記信号のゲインを制御する第２信号制御電圧を発生する第２信号制御回路部と、
前記第１信号制御電圧及び前記第２信号制御電圧を検出する制御電圧検出部と、
前記選局処理部による選局処理後の前記信号からエラー情報を検出するエラー情報検出部と、
を備え、
前記第１信号制御電圧、前記第２信号制御電圧及び前記エラー情報の少なくとも一つと、前記ＣＮ比と、に基づいて前記信号の受信状態の調査を実行することを特徴とする受信装置。
【請求項２】
前記ＣＮ比が所定値未満であるとき、前記第２信号制御電圧が所定範囲外であることに基づき信号レベルが適正ではないことを判定し、さらに前記第１信号制御電圧が所定範囲外であることに基づき前記信号が強入力或いは弱入力であることを判定し、さらに前記ＣＮ比の値に係らず前記エラー情報が所定範囲外であることに基づき前記信号が信号経路で妨害を受けていることを判定することにより前記信号の受信状態の前記調査を実行することを特徴とする請求項１に記載の受信装置。
【請求項３】
前記調査の結果と、前記調査の前記結果に基づく前記信号の受信に係る不具合を解消するための情報とを表示する表示部を備えることを特徴とする請求項１または請求項２に記載の受信装置。
【請求項４】
前記信号の受信状態の前記調査を実行した後、前記選局処理部により前記信号を別のチャンネルに変更し、変更した前記別のチャンネルの前記信号について受信状態の前記調査を実行することを特徴とする請求項１〜請求項３のいずれか１項に記載の受信装置。
【請求項５】
受信可能なチャンネルの検索を実行するチャンネル検索部を備え、前記チャンネル検索部により受信可能なチャンネルの検索を実行した後、受信可能な前記チャンネルの前記信号について受信状態の前記調査を実行することを特徴とする請求項１〜請求項３のいずれか１項に記載の受信装置。
【発明の詳細な説明】
【技術分野】
【０００１】
本発明は受信装置に関する。
【背景技術】
【０００２】
テレビジョン受信機やレコーダなどの電気機器には、放送信号の受信を行う受信装置が備えられる。受信装置には受信した信号の品質を検出して画面に表示できるものがあり、そのような従来の受信装置が例えば特許文献１に開示されている。
【０００３】
特許文献１に記載された従来の放送受信装置は受信した信号の受信品質を検出する受信品質検出手段を備え、アンテナ調整モードにおいて、順次各受信チャンネルの受信信号品質を測定している。そして、各受信チャンネルとその測定結果とを対応させて画面上に一覧表示している。これにより、ユーザーは受信信号品質表示画面で複数のチャンネルの受信状態を確認することができる。
【先行技術文献】
【特許文献】
【０００４】
【特許文献１】特開２００７−１０４３６５号公報
【発明の概要】
【発明が解決しようとする課題】
【０００５】
しかしながら、上記従来の受信装置では受信信号品質表示画面で信号の品質が十分であるか否かの判断しかできない。さらに、その表示画面で信号の品質が好適であると判断できても、ブロックノイズなどの不具合が発生する可能性もある。この場合、どこに問題が生じているのかユーザーが把握できないことが懸念される。それにより、ユーザーが受信ブースターなどの本来必要のない補助機器等を購入する虞がある。
【０００６】
本発明は、上記の点に鑑みなされたものであり、信号の品質が十分であるか否かの情報に加えて、さらに多くの受信状態に係る情報を提供することが可能な受信装置を得ることを目的とする。
【課題を解決するための手段】
【０００７】
上記の課題を解決するため、本発明の受信装置は、受信信号に対して選局処理を行う選局処理部と、前記受信信号のＣＮ比（Carrier to Noise ratio）を検出するＣＮ比検出部と、前記選局処理部による選局処理前の前記信号のゲインを制御する第１信号制御電圧を発生する第１信号制御回路部と、前記選局処理部による選局処理後の前記信号のゲインを制御する第２信号制御電圧を発生する第２信号制御回路部と、前記第１信号制御電圧及び前記第２信号制御電圧を検出する制御電圧検出部と、前記選局処理部による選局処理後の前記信号からエラー情報を検出するエラー情報検出部と、を備え、前記第１信号制御電圧、前記第２信号制御電圧及び前記エラー情報の少なくとも一つと、前記ＣＮ比と、に基づいて前記信号の受信状態の調査を実行することを特徴としている。
【０００８】
この構成によれば、受信装置はＣＮ比、第１信号制御電圧、第２信号制御電圧及びエラー情報といった複数の対象に基づき信号の受信状態の調査を実行する。したがって、様々な角度から信号の受信状態を調べることができる。
【０００９】
また、上記構成の受信装置において、前記ＣＮ比が所定値未満であるとき、前記第２信号制御電圧が所定範囲外であることに基づき信号レベルが適正ではないことを判定し、さらに前記第１信号制御電圧が所定範囲外であることに基づき前記信号が強入力或いは弱入力であることを判定し、さらに前記ＣＮ比の値に係らず前記エラー情報が所定範囲外であることに基づき前記信号が信号経路で妨害を受けていることを判定することにより前記信号の受信状態の前記調査を実行することを特徴としている。
【００１０】
この構成によれば、受信装置はＣＮ比の値から受信した信号の品質が十分であるか否かを判定する。さらに、受信装置は第２信号制御電圧の値から信号レベルが適正ではないことを判定する。さらに、受信装置は第１信号制御電圧の値から信号が強入力或いは弱入力であることを判定する。さらに、受信装置は信号のエラー情報が所定範囲外であることから信号が信号経路で妨害を受けていることを判定する。
【００１１】
また、上記構成の受信装置において、前記調査の結果と、前記調査の前記結果に基づく前記信号の受信に係る不具合を解消するための情報とを表示する表示部を備えることを特徴としている。
【００１２】
この構成によれば、ユーザーは信号の受信状態や受信に係る不具合、その不具合を解消するための情報を把握し易くなる。
【００１３】
また、上記構成の受信装置において、前記信号の受信状態の前記調査を実行した後、前記選局処理部により前記信号を別のチャンネルに変更し、変更した前記別のチャンネルの前記信号について受信状態の前記調査を実行することを特徴としている。
【００１４】
この構成によれば、複数のチャンネルに対して信号の受信状態の調査が実行される。したがって、ユーザーは複数のチャンネルにおいて信号の受信状態や受信に係る不具合を把握することができる。
【００１５】
また、上記構成の受信装置において、受信可能なチャンネルの検索を実行するチャンネル検索部を備え、前記チャンネル検索部により受信可能なチャンネルの検索を実行した後、受信可能な前記チャンネルの前記信号について受信状態の前記調査を実行することを特徴としている。
【００１６】
この構成によれば、複数のチャンネルに対して信号の受信状態の調査が実行される。したがって、ユーザーは複数のチャンネルにおいて信号の受信状態や受信に係る不具合を把握することができる。
【発明の効果】
【００１７】
本発明の構成によれば、信号の品質が十分であるか否かの情報に加えて、さらに多くの受信状態に係る情報を提供することが可能な受信装置を得ることができる。
【図面の簡単な説明】
【００１８】
【図１】本発明の第１実施形態の受信装置のブロック図である。
【図２】本発明の第１実施形態の受信装置の放送信号の受信状態の調査処理を示すフローチャートである。
【図３】本発明の第１実施形態の受信装置における受信状態の調査結果の表示例を説明するための説明図である。
【図４】本発明の第１実施形態の受信装置における受信状態の調査結果の表示例を説明するための説明図である。
【図５】本発明の第１実施形態の受信装置における受信状態の調査結果の表示例を説明するための説明図である。
【図６】本発明の第１実施形態の受信装置における受信状態の調査結果の表示例を説明するための説明図である。
【図７】本発明の第１実施形態の受信装置における受信状態の調査結果の表示例を説明するための説明図である。
【図８】本発明の第２実施形態の受信装置の放送信号の受信状態の調査処理を示すフローチャートである。
【発明を実施するための形態】
【００１９】
以下、本発明の実施形態を図１〜図８に基づき説明する。なおここでは、本発明の受信装置の一例としてテレビジョン放送の受信装置を掲げてその実施形態を説明する。
【００２０】
最初に、本発明の第１実施形態の受信装置について、図１を用いてその構成を説明する。図１は受信装置のブロック図である。
【００２１】
受信装置１は、図１に示すように高周波増幅器３、減衰器４、選局処理部５、中間周波増幅器６、ＲＦＡＧＣ回路部７（第１信号制御回路部）、ＩＦＡＧＣ回路部８（第２信号制御回路部）、ＣＮ比検出部９、Ｐａｃｋｅｔ  ｅｒｒｏｒ検出部１０（エラー情報検出部）、制御部１１（制御電圧検出部）、記憶部１２及び表示部１３を備える。なお、例えば放送局から発信される高周波の放送信号はアンテナ１０１が受信し、受信装置１に入力される。
【００２２】
アンテナ１０１が受信した放送信号は高周波増幅器３及び減衰器４を介して選局処理部５に入力される。高周波増幅器３は入力される放送信号を増幅させる。減衰器４は入力される放送信号をＲＦＡＧＣ回路部７の出力に基づく減衰率で減衰させる。
【００２３】
選局処理部５は局部発振器５ａと、混合器５ｂとを備える。局部発振器５ａはアンテナ１０１が受信して混合器５ｂに入力する放送信号を所定帯域の周波数に変換するための局部発振信号を混合器５ｂに入力する。混合器５ｂは入力される２つの信号を混合して中間周波の放送信号を生成し、中間周波増幅器６に対して出力する。中間周波増幅器６は入力される放送信号をＩＦＡＧＣ回路部８の出力に基づく増幅率で増幅させる。
【００２４】
第１信号制御回路部であるＲＦＡＧＣ回路部７は減衰器４が出力する高周波の信号レベルが一定となるように減衰器４による放送信号の減衰量を制御する。すなわち、ＲＦＡＧＣ回路部７は選局処理部５による選局処理前の放送信号のゲインを制御するＲＦＡＧＣ電圧（第１信号制御電圧）を発生して制御する。ＲＦＡＧＣ回路部７による制御方法は上記に限られるものではなく、増幅器のゲインを制御する方法もある。また、最近ではＩＣ化の傾向に伴ってＲＦＡＧＣ回路部が多段構成になっていることもある。
【００２５】
第２信号制御回路部であるＩＦＡＧＣ回路部８は中間周波増幅器６が出力する中間周波の信号レベルが一定となるように中間周波増幅器６による放送信号の増幅率を制御する。すなわち、ＩＦＡＧＣ回路部８は選局処理部５による選局処理後の放送信号のゲインを制御するＩＦＡＧＣ電圧（第２信号制御電圧）を発生して制御する。ＩＦＡＧＣ回路部８による制御方法は上記に限られるものではなく、中間周波増幅器６の後に新たに減衰器を設けてその減衰率を制御する方法もある。
【００２６】
ＣＮ比検出部９には不図示のＡ／Ｄ変換部や同期部、その他の構成要素を介して中間周波増幅器６から信号が入力される。ＣＮ比検出部９は放送信号のＣＮ比（Carrier to Noise ratio）を検出する。
【００２７】
エラー情報検出部であるＰａｃｋｅｔ  ｅｒｒｏｒ検出部１０にはＣＮ比検出部９から不図示の誤り訂正部を介して放送信号が入力される。Ｐａｃｋｅｔ  ｅｒｒｏｒ検出部１０は誤り訂正後の放送信号からエラー情報を検出する。
【００２８】
制御部１１は不図示の演算部やその他の電子部品で構成され、記憶部１２等に記憶、入力されたプログラム、データに基づき、受信装置１の各構成要素から情報を得るとともにそれら構成要素の動作を制御して一連の放送信号の受信処理を実現する。制御部１１はＲＦＡＧＣ電圧及びＩＦＡＧＣ電圧を検出する制御電圧検出部としての機能も有する。制御部１１はＣＮ比検出部９から放送信号のＣＮ比に係る情報を受け取り、Ｐａｃｋｅｔ  ｅｒｒｏｒ検出部１０から放送信号のエラー情報を受け取る。
【００２９】
表示部１３は放送信号から得られる映像を表示する。さらに、表示部１３は制御部１１が出力する放送信号の受信状態や受信不具合に関する情報、その不具合を解消するための情報を表示する。
【００３０】
そして、上記構成の受信装置１は放送信号の受信状態の調査を実行する。この放送信号の受信状態の調査では、まずＣＮ比検出部９が検出したＣＮ比を確認する。ＣＮ比が所定値未満であるとき、受信装置１は制御部１１が検出したＩＦＡＧＣ電圧が所定範囲外であることに基づき信号レベルが適正ではないことを判定する。さらに、ＣＮ比が所定値未満であるとき、受信装置１は制御部１１が検出したＲＦＡＧＣ電圧が所定範囲外であることに基づき放送信号が強入力或いは弱入力であることを判定する。さらに、受信装置１はＣＮ比の値に係らずＰａｃｋｅｔ  ｅｒｒｏｒ検出部１０が検出したエラー情報が所定範囲外であることに基づき放送信号が信号経路で妨害を受けていることを判定する。そして、受信装置１は放送信号の受信状態の調査結果と、その調査結果に基づく信号の受信に係る不具合を解消するための情報とを表示部１３に表示する。
【００３１】
このような受信装置１における放送信号の受信状態の調査処理について、図２に示すフローに沿って図３〜図７を用いて説明する。図２は受信装置１の放送信号の受信状態の調査処理を示すフローチャート、図３〜図７は受信装置１における受信状態の調査結果の表示例を説明するための説明図である。
【００３２】
受信装置１がアンテナ１０１から放送信号を受信すると（図２のスタート）、制御部１１はＣＮ比検出部９が検出したＣＮ比が所定値を超えているか否かを判別する（ステップ＃１０１）。
【００３３】
ＣＮ比が所定値未満であるとき（ステップ＃１０１のＮｏ）、制御部１１は検出したＩＦＡＧＣ電圧が所定範囲内であるか否かを判別する（ステップ＃１０２）。
【００３４】
ＩＦＡＧＣ電圧が所定範囲外であるとき（ステップ＃１０２のＮｏ）、制御部１１は検出したＲＦＡＧＣ電圧が所定範囲内であるか否かを判別する（ステップ＃１０３）。ＲＦＡＧＣ電圧が所定範囲内であるとき（ステップ＃１０３のＹｅｓ）、制御部１１は信号レベルが適正ではないことを判定する（ステップ＃１０４）。一方、ＲＦＡＧＣ電圧が所定範囲外であるとき（ステップ＃１０３のＮｏ）、制御部１１は放送信号が強入力或いは弱入力であることを判定する（ステップ＃１０５）。なお、制御部１１は放送信号が強入力或いは弱入力のいずれであるかを特定することも可能である。
【００３５】
ＣＮ比が所定値を超えているとき（ステップ＃１０１のＹｅｓ）、またはＩＦＡＧＣ電圧が所定範囲内であるとき（ステップ＃１０２のＹｅｓ）、制御部１１はＰａｃｋｅｔ  ｅｒｒｏｒ検出部１０が検出したエラー情報が所定範囲内であるか否かを判別する（ステップ＃１０６）。エラー情報が所定範囲外であるとき（ステップ＃１０６のＮｏ）、制御部１１は放送信号が信号経路で妨害を受けていることを判定する（ステップ＃１０７）。
【００３６】
エラー情報が所定範囲内であるとき（ステップ＃１０６のＹｅｓ）、制御部１１は放送信号の受信状態が適正であることを判定する（ステップ＃１０８）。
【００３７】
制御部１１はステップ＃１０４、＃１０５、＃１０７及び＃１０８の判定に基づき、放送信号の受信状態の調査結果を、例えば図３〜図７に示すように表示部１３に結果ウィンドウ１４を開いて表示する（ステップ＃１０９）。受信状態の調査結果を示す結果ウィンドウ１４には、例えば判定結果である不具合情報と、その不具合を解消するための情報である対策とが表示される。
【００３８】
例えば、ステップ＃１０４において信号経路自体に不具合があることを判定した場合、図３に示すように表示部１３にはその不具合情報と、その対策としての配線設備の不具合を確認する依頼とを表示する。
【００３９】
例えば、ステップ＃１０５において放送信号が強入力である不具合があることを判定した場合、図４に示すように表示部１３にはその不具合情報と、その対策としてのアッテネータの設置を検討する依頼とを表示する。また例えば、ステップ＃１０５において放送信号が弱入力である不具合があることを判定した場合、図５に示すように表示部１３にはその不具合情報と、ブースターの設置を検討する依頼とを表示する。
【００４０】
例えば、ステップ＃１０７において放送信号が信号経路で妨害を受けている不具合があることを判定した場合、図６に示すように表示部１３にはその不具合情報と、その対策としての信号経路周辺に電波を発する機器が置かれていないかどうか確認する依頼とを表示する。また例えば、ステップ＃１０８において放送信号の受信状態が適正であることを判定した場合、図７に示すように表示部１３には受信状態が適正であることを表示する。
【００４１】
そして、受信装置１は放送信号の受信状態の調査処理を終了する（図２のエンド）。
【００４２】
次に、本発明の第２実施形態の受信装置について、図８を用いて説明する。図８は受信装置の放送信号の受信状態の調査処理を示すフローチャートである。なお、この実施形態の基本的な構成は図１〜図７を用いて説明した前記第１実施形態と同じであるので、第１実施形態と共通する構成要素には前と同じ符号を付し、図面の記載及びその説明を省略するものとする。
【００４３】
図８に示すように、第２実施形態の受信装置１がアンテナ１０１から放送信号を受信すると（図８のスタート）、制御部１１はＣＮ比検出部９が検出したＣＮ比が所定値を超えているか否かを判別する（ステップ＃２０１）。
【００４４】
ＣＮ比が所定値未満であるとき（ステップ＃２０１のＮｏ）、制御部１１は検出したＩＦＡＧＣ電圧が所定範囲内であるか否かを判別し（ステップ＃２０２）、その判別結果を記憶部１２等に記録する（ステップ＃２０３）。続いて、制御部１１は検出したＲＦＡＧＣ電圧が所定範囲内であるか否かを判別し（ステップ＃２０４）、その判別結果を記憶部１２等に記録する（ステップ＃２０５）。
【００４５】
ＣＮ比が所定値を超えているとき（ステップ＃２０１のＹｅｓ）、またはステップ＃２０５の後、制御部１１はＰａｃｋｅｔ  ｅｒｒｏｒ検出部１０が検出したエラー情報が所定範囲内であるか否かを判別し（ステップ＃２０６）、その判別結果を記憶部１２等に記録する（ステップ＃２０７）。
【００４６】
続いて、制御部１１はステップ＃２０３、＃２０５及び＃２０７で記録した判別結果に基づき、放送信号の受信状態の総合判定を実施する（ステップ＃２０８）。そして、制御部１１はステップ＃２０８の総合判定に基づき、放送信号の受信状態の調査結果を表示部１３に表示する（ステップ＃２０９、図３〜図７参照）。
【００４７】
続いて、制御部１１は表示部１３等を用いて、他チャンネルで放送信号の受信状態の調査処理を実行するか否かをユーザーに問う（ステップ＃２１０）。ユーザーが他チャンネルでの放送信号の受信状態の調査処理の実行を選択したとき（ステップ＃２１０のＹｅｓ）、制御部１１はチャンネルを変更し（ステップ＃２１１）、ステップ＃２０１に戻り放送信号の受信状態の調査処理を再開する。
【００４８】
ユーザーが他チャンネルでの放送信号の受信状態の調査処理の実行を選択しなかったとき（ステップ＃２１０のＮｏ）、受信装置１は放送信号の受信状態の調査処理を終了する（図８のエンド）。
【００４９】
次に、本発明の第３実施形態の受信装置について説明する。なお、この実施形態の基本的な構成は図１〜図７を用いて説明した前記第１実施形態と同じであるので、図面の記載及びその説明を省略するものとする。
【００５０】
本発明の第３実施形態の受信装置としては、無線ＬＡＮのアクセスポイントを掲げることができる。この構成によれば、無線ＬＡＮアクセスポイントはネットワークを介して受信する信号に対して受信状態の調査を実行する。そして、無線ＬＡＮアクセスポイントは信号の受信状態の調査結果と、その調査結果に基づく信号の受信に係る不具合を解消するための情報とを不図示の表示部に表示する。
【００５１】
上記のように、受信装置１はＣＮ比、ＲＦＡＧＣ電圧、ＩＦＡＧＣ電圧及びエラー情報といった複数の対象に基づき信号の受信状態の調査を実行する。したがって、様々な角度から信号の受信状態を調べることができる。
【００５２】
すなわち、受信装置１はＣＮ比の値から受信した信号の品質が十分であるか否かを判定することができる。さらに、受信装置１はＩＦＡＧＣ電圧の値から信号レベルが適正ではないことを判定することができる。さらに、受信装置１はＲＦＡＧＣ電圧の値から信号が強入力或いは弱入力であることを判定することができる。さらに、受信装置１は信号のエラー情報が所定範囲外であることから信号が信号経路で妨害を受けていることを判定することができる。
【００５３】
そして、受信装置１は信号の受信状態の調査結果と、調査結果に基づく信号の受信に係る不具合を解消するための情報とを表示部１３に表示する。これにより、ユーザーは信号の受信状態や受信に係る不具合、その不具合を解消するための情報を把握し易くなる。
【００５４】
また、受信装置１は信号の受信状態の調査を実行した後、チャンネルを変更し、変更した別のチャンネルの信号について受信状態の調査を実行する。これにより、受信装置１は複数のチャンネルに対して、信号の受信状態の調査を実行することが可能である。したがって、ユーザーは複数のチャンネルにおいて信号の受信状態や受信に係る不具合を把握することができる。受信状態が悪化しているチャンネルが特定の周波数帯域に属する場合、例えばアンテナ１０１やその他の配線設備に問題があると判断することができる。
【００５５】
なお、放送チャンネルの変更は第１実施形態においても適用することができる。また、制御部１１は受信可能なチャンネルの検索を実行するチャンネル検索部としての機能も有する。そして、チャンネル検索部である制御部１１により受信可能なチャンネルの検索を実行した後、受信可能なチャンネルの信号について上記の受信状態の調査を実行することにしても良い。
【００５６】
そして、本発明の上記実施形態の構成によれば、受信した放送信号の品質が十分であるか否かの情報に加えて、さらに多くの受信状態に係る情報を提供することが可能な受信装置１を提供することができる。
【００５７】
以上、本発明の実施形態につき説明したが、本発明の範囲はこれに限定されるものではなく、発明の主旨を逸脱しない範囲で種々の変更を加えて実施することができる。
【産業上の利用可能性】
【００５８】
本発明は受信装置において利用可能である。
【符号の説明】
【００５９】
１    受信装置
５    選局処理部
７    ＲＦＡＧＣ回路部（第１信号制御回路部）
８    ＩＦＡＧＣ回路部（第２信号制御回路部）
９    ＣＮ比検出部
１０    Ｐａｃｋｅｔ  ｅｒｒｏｒ検出部（エラー情報検出部）
１１    制御部（制御電圧検出部、チャンネル検索部）
１３    表示部
【図１】
2015023383.tif 000003
【図２】
2015023383.tif 000004
【図３】
2015023383.tif 000005
【図４】
2015023383.tif 000006
【図５】
2015023383.tif 000007
【図６】
2015023383.tif 000008
【図７】
2015023383.tif 000009
【図８】
2015023383.tif 000010